(57)【要約】本発明は、表示装置、特にプラズマディスプレイパネル上にビデオ画像を表示する方法に係る。ビデオ画像を表示するためのフレームは、２つのサブフレームに分割され、各サブフレームは共に、略同数のサブスキャンを含む。第１のサブフレームのサブスキャンは、その重みが増加する第１の順序に配列され、第２のサブフレームのサブスキャンは逆の順序に配列される。第２のサブフレームは第１のサブフレームに続く。ＰＤＰの各セルは、第１のサブフレームの間に少なくとも一回状態を変える。第２のサブフレームも同様である。
2005502919.tif 000002
【特許請求の範囲】
【請求項１】
表示フレームの間に、複数の基本セルを含む表示装置上でビデオ画像を表示する方法であって、
ビデオ画像の前記表示フレームは、サブスキャンと称する複数の期間から構成され、このサブスキャンの間に、各基本セルは、オン状態か又はオフ状態のいずれかであり、
各サブスキャンは、その照明期間に比例する重みを有する方法であって、
各表示フレームは、第１のサブフレームと第２のサブフレームに分割され、
前記サブフレームの間に、各セルは、状態を少なくとも一回変え、
前記第１のサブフレーム及び前記第２のサブフレームは、略同数のサブスキャンを含み、
前記第１のサブフレームの前記サブスキャンは、その重みが増加する第１の順序で配列され、
前記第２のサブフレームの前記サブスキャンは、その重みが減少する第２の順序で配列され、
前記第２の順序は、前記第１の順序の逆であることを特徴とする方法。
【請求項２】
各セルに対し、前記第１のサブフレーム及び前記第２のサブフレームは、略同数のサブスキャンを含み、
前記サブスキャンの間、前記セルは、オン状態であることを特徴とする請求項１記載の方法。
【請求項３】
前記第１のサブフレーム及び前記第２のサブフレームは、同数のサブスキャンを含むことを特徴とする請求項２記載の方法。
【請求項４】
前記第１のサブフレームが、その間は前記セルはオン状態であるＮ個のサブスキャンを含むとき、前記第２のサブフレームは、その間は前記セルはオン状態であるＮ−１、又は、Ｎ個のサブスキャンを含み、ただし、Ｎは、１以上の自然整数であることを特徴とする請求項２又は３記載の方法。
【請求項５】
前記第１のサブフレームが、その間は前記セルはオン状態であるＮ個のサブスキャンを含むとき、前記第２のサブフレームは、その間は前記セルはオン状態であるＮ、又は、Ｎ＋１個のサブスキャンを含み、ただし、Ｎは、０以上の自然整数であることを特徴とする請求項２又は３記載の方法。
【請求項６】
前記第１のサブフレームが、その間は前記セルはオン状態であるＮ個のサブスキャンを含むとき、前記第２のサブフレームは、その間は前記セルはオン状態であるＮ−１、Ｎ、又はＮ＋１個のサブスキャンを含み、ただし、Ｎは、１以上の自然整数であることを特徴とする請求項２又は３記載の方法。
【請求項７】
前記第１のサブフレームが、その間は前記セルはオン状態であるＮ個のサブスキャンを含むとき、前記第２のサブフレームは、その間は前記セルはオン状態であるＮ−２、Ｎ−１、Ｎ、Ｎ＋１、又は、Ｎ＋２個のサブスキャンを含み、ただし、Ｎは、２以上の自然整数であることを特徴とする請求項２又は３記載の方法。
【請求項８】
前記ビデオ画像の各画素に対する動きベクトルを生成するよう先行するビデオ画像に対する現在のビデオ画像の動きが推定され、且つ、前記現在のビデオ画像の各画素に対し、前記第２のサブフレームの前記サブスキャンが、前記生成された動きベクトルの半分の量で移動されることを特徴とする請求項１乃至７のうちいずれか一項記載の方法。
【請求項９】
請求項１乃至８のうちいずれか一項記載の表示方法を実行する装置を含むことを特徴とするプラズマディスプレイパネル。
【発明の詳細な説明】
【０００１】
本発明は、表示装置上にビデオ画像を表示する方法に係る。本発明は、特に、オン状態か又はオフ状態で有り得る基本セルのマトリクスから構成されるプラズマディスプレイパネル（ＰＤＰ）に適用可能である。
【０００２】
ＰＤＰ技術は、大きいフラットディスプレイスクリーンを得ることを可能にする。ＰＤＰは、一般的に、ガスが充填される空間を間に画成する２つの絶縁性タイルを含み、ガスが充填される空間内には、障壁により境界付けられる基本空間が画成される。各タイルには、１つ以上の電極アレイが設けられる。基本セルは、基本空間に対応し、基本空間の両側に、少なくとも１つの電極が設けられる。基本セルをアクティブにするには、セルの電極間に電圧を印加することにより対応する基本空間内に放電が生成される。放電は、基本セル内でＵＶ光線の放射をもたらす。セルの壁に付着された蛍光体が、ＵＶ光線を可視光線に変換する。
【０００３】
ＰＤＰの基本セルの動作期間は、ビデオフレームと称するビデオ画像の表示期間と一致する。各ビデオフレームは、一般的に、サブスキャンと称する幾つかの基本期間から構成される。各サブスキャンは、アドレス期間、維持期間、及び消去期間を含む。セルをオンにする又はセルにアドレスすることは、大きい振幅の電気パルスを送り、それにより、セルをオン状態にすることにある。維持期間の間、一連の小さいパルスを送ることにより、セルは、オン状態に維持される。各サブスキャンは、特定の維持期間の継続時間と、そのサブスキャンの維持期間の継続時間の関数である重みを有する。セルは、減衰された放電により、セル内の電荷を取り消すことにより、消去される又はオフにされる。セルの照明期間は、セルの維持期間に対応する。これらの期間は、ビデオフレーム全体に分配される。次に、人間の目が、この照明期間の積分を行い、それにより、対応するグレイレベルを再形成する。
【０００４】
照明期間の時間積分に関連付けられる問題が幾つかある。ビデオ画像における２つの隣接する領域が、無相関の照明期間を有する非常に似たグレイレベルを有し、また、これらの２つの領域間の移行部（ｔｒａｎｓｉｔｉｏｎ）が幾つかの画像に亘って動くときに、輪郭問題が発生する。この輪郭問題を、図１に示す。図１は、１２７のグレイレベルと１２８のグレイレベルを夫々有する２つの隣接する領域を有する２つの連続する画像、即ち、ＩとＩ＋１に対するサブスキャンを示す。各ビデオフレームは、夫々の重み１、２、４、８、１６、３２、６４、及び１２８を有する８つのサブスキャンから構成される。これらの２つの領域間の移行部は、画像Ｉと画像Ｉ＋１の間で、４画素分動く。図１では、ｙ軸は、時間軸を表し、ｘ軸は、様々な画像の画素を表す。目により行われる積分は、図１に示す斜線に沿っての時間の経過での積分を意味する。というのは、目は、動くオブジェクトを追う傾向があるからである。従って、目は、異なる画素から来る情報を積分する。積分により、グレイレベル１２７と１２８間の移行の瞬間においてゼロのグレイレベルが出現する。このゼログレイレベルの通過は、移行時に暗いバンドを出現させる。逆に、移行部が、レベル１２８からレベル１２７を通過すると、移行の瞬間に、レベル２５５に対応する明るいバンドが出現する。
【０００５】
この問題に対する第１の解決策は、積分誤差を少なくするために、高い重みのサブスキャンを「分割する」ことにある。たとえば、重み６４と１２８を有するサブスキャンは、６つの重み３２を有するサブスキャンに置き換え得る。その場合、最大積分誤差は、３２のグレイレベルを有する。グレイレベルを異なるように割り当てることも可能である。しかし、常に、積分誤差がある。
【０００６】
欧州特許出願番号０９７８８１７に与えられるこの問題に対する別の解決策は、目が正しい情報を積分するように動きの方向にサブスキャンをシフトすることによって、目による積分を予想することにある。この技術は、表示されるべき画像の各画素の動きベクトルを計算する動き推定器を使用する。この動きベクトルは、ＰＤＰの基本セルに供給されるデータを修正するために用いられる。この技術を、図２に示す。図２では、各ビデオフレームは、夫々の重み１、２、４、８、１６、３２、３２、３２、３２、３２、３２、及び３２を有する１２個のサブスキャンからなる。上述したように、補正は、人間の目が行う積分を予測するために、画像間で観察される動きに応じてサブスキャンを空間的に移動させることにある。サブスキャンは、サブスキャンの重みと、ビデオフレーム中の時間的な位置に応じて異なって移動させられる。この補正は、輪郭影響をもたらす移行に優れた結果を与える。しかし、この動き補償補正は、オブジェクトが２つの画像間で現れる又は消えるときに適用されるべき動きベクトルに関して幾つか問題を呈する。
【０００７】
もう１つの解決策は、グレイレベルの「インクリメンタル」符号化と呼ばれる符号化を用いることにある。この符号化を用いると、ＰＤＰのセルは、ビデオフレームの間に少なくとも一回状態を変える。たとえば、ビデオフレームの開始時に、セルがオフ状態にあり、次に、オン状態に移ると、セルは、フレームの終わりまでこの状態のままとなる。この符号化の主な欠点は、この符号化では、１つのセルによって表示可能であるグレイレベルの数が非常に制限されることである。図３は、夫々の重み１、２、４、８、１６、３２、３２、３２、３２、３２、３２、及び３２を有する１２個のサブスキャンからなるビデオフレームの場合に、インクリメンタル符号化で表示可能なグレイレベルを示す。この例では、１３個の異なるグレイレベル、すなわち、レベル０、１、３、７、１５、３１、６３、９５、１２７、１５９、１９１、２２３、及び２５５を表示することが可能である。図３では、サブスキャンは、幾つかの低い値のグレイレベル（すなわち、レベル０、１、３、７、１５、３１）を得るために、夫々の重みの降順に配列される。所与のグレイレベルに対する「オン」サブスキャン（セルがオン状態にあるときのサブスキャン）は、より高いグレイレベルに対しても「オン」であり、同じビデオフレームにおいて２つの「オン」サブスキャンの間には「オフ」サブスキャン（セルがオフ状態にあるときのサブスキャン）はないという事実によって、輪郭影響、すなわち、同様のグレイレベルを有する２つの隣接する領域間の移行時に明るい又は暗いバンドの出現を回避することが可能となる。当業者には周知であるディザリング技術を用いることにより、インクリメンタルコードの少ない数のグレイレベルが部分的に補われる。ディザリング技術の原則は、所望のグレイレベルを、時間積分（これらのグレイレベルは、幾つかの連続する画像上に表示される）及び／又は空間積分（これらのグレイレベルは、関心の画素を含む画像の領域内の表示される）によって、表示可能なグレイレベルの組み合わせに分解し、それにより、その所望のグレイベルに似たグレイレベルを画面上に再現する。しかし、ビデオ画像を表示するためには、インクリメンタル符号化で表示可能なグレイレベルの数が大きいことが好適である。
【０００８】
本発明は、輪郭影響を補正するためのもう１つのグレイレベルの符号化を提供する。本発明は、表示フレームの間に、複数の基本セルを含む表示装置上でビデオ画像を表示する方法であり、ビデオ画像の表示フレームは、サブスキャンと称する複数の期間から構成され、このサブスキャンの間に、各基本セルは、オン状態か又はオフ状態のいずれかであり、各サブスキャンは、その照明期間に比例する重みを有する。各表示フレームは、第１のサブフレームと第２のサブフレームに分割され、このサブフレームの間に、各セルは、状態を少なくとも一回変え、第１のサブフレームと第２のサブフレームは、略同数のサブスキャンを含み、第１のサブフレームのサブスキャンは、サブスキャンの重みが増加する第１の順序で配列され、第２のサブフレームのサブスキャンは、サブスキャンの重みが減少する第２の順序で配列され、第２の順序は、第１の順序の逆である。
【０００９】
各セルに対し、第１のサブフレームと第２のサブフレームは、略同数のサブスキャンを含み、このサブスキャンの間、セルは、オン状態であることが好適である。
【００１０】
第１のサブフレーム及び第２のサブフレームは、同数のサブスキャンを含んでも含まなくてもよく、また、第２のサブフレームのサブスキャンの重みは、第１のサブフレームのサブスキャンの重みと異なっていても異なっていなくてもよい。
【００１１】
第１の実施例において、第１のサブフレームが、Ｎ個のサブスキャンを含み、その間、セルはオン状態であるとき、第２のサブフレームは、Ｎ−１、又は、Ｎ個のサブスキャンを含む。ただし、Ｎは、１以上の自然整数である。この実施例では、所与のグレイレベルに対する全ての「オン」サブスキャンは、より高いグレイレベルに対してもオンである。従って、輪郭問題はない。
【００１２】
第２の実施例において、第１のサブフレームが、Ｎ個のサブスキャンを含み、その間、セルはオン状態であるとき、第２のサブフレームは、Ｎ−１、Ｎ、又はＮ＋１個のサブスキャンを含む。ただし、Ｎは、１以上の自然整数である。
【００１３】
第３の実施例において、第１のサブフレームが、Ｎ個のサブスキャンを含み、その間、セルはオン状態であるとき、第２のサブフレームは、Ｎ−２、Ｎ−１、Ｎ、Ｎ＋１、又は、Ｎ＋２個のサブスキャンを含む。ただし、Ｎは、２以上の自然整数である。
【００１４】
これら最後２つの実施例では、所与のグレイレベルに対する「オン」サブスキャンは、より高いグレイレベルに対してオンであるとは限らない。これら２つの実施例は、輪郭影響を完全に除去することなく輪郭影響を減少する。しかし、大きい数のグレイレベルを得ることを可能にする。
【００１５】
この輪郭影響を減少するために、第２のサブフレームのサブスキャンの動きを補償することが有利である。このためには、ビデオ画像の各画素の動きベクトルを生成するよう先行するビデオ画像に対する現在のビデオ画像の動きが推定され、また、現在のビデオ画像の各画素に対し、第２のサブフレームのサブスキャンが、生成された動きベクトルの半分の量で移動される。
【００１６】
最後に、本発明はさらに、本発明の表示方法を実行する装置を含むプラズマディスプレイパネルに関する。
【００１７】
本発明の更なる特徴及び利点は、添付図面を参照しながら以下に与えられる詳細な説明を読むことにより明らかとなろう。
【００１８】
本発明では、１つのビデオ画像の表示フレームは、２つのサブフレームに分割され、この２つのサブフレームは共に、略同数のサブスキャンを含む。第１のサブフレームのサブスキャンは、サブスキャンの重みの昇順に配列され、第２のサブフレームのサブスキャンは、反対の順序に配列される。第２のサブフレームは、第１のサブフレームに続く。ＰＤＰの各セルは、第１のサブフレームの間に少なくとも一回状態を変え、この状態の変化は、セルがオンとなることに対応する。ＰＤＰの各セルは、第２のサブフレームの間に少なくとも一回状態を変え、この状態の変化は、セルがオフになることに対応する。第１のサブフレーム及び第２のサブフレームは、各セルに対し、略同数のサブスキャンを含み、その間、関心のセルは、オン状態にある。
【００１９】
図４は、本発明の方法の第１の実施例を示す。ここでは、第１のサブフレームが、Ｎ個の「オン」サブスキャンを含むとき、第２のサブフレームは、Ｎ−１、又は、Ｎ個のサブスキャンを含む。ただし、Ｎは、１以上の自然整数である。１つの変形では、第２のサブフレームは、Ｎ−１、又は、Ｎ個ではなく、Ｎ、又は、Ｎ＋１個を含み得る。ただし、この場合、Ｎは、ゼロ以上の自然整数である。
【００２０】
図４は、１４個のサブスキャンを含む１つのビデオフレームについて、この実施例で表示可能である様々なグレイレベルを示す。この実施例では、所与のグレイレベルに対し「オン」である全てのサブスキャンは、より高いグレイレベルに対してもオンである。第１のサブフレーム及び第２のサブフレームは、夫々２、４、６、１０、２０、３０、及び４０の重みを有する７つのサブスキャンを、夫々含む。サブスキャンは、第１のサブフレームでは、その重みの昇順に配列され、第２のサブフレームでは、降順に配列される。本発明の方法は、この実施例では、１５個の異なるグレイレベル、すなわち、０、２、４、８、１２、１８、２４、３４、４４、６４、８４、１１４、１１４、１８４、及び２２４を表示可能にする。グレイレベル０は、２つのサブフレームの全てのサブスキャンが「オフ」のときに得られる。グレイレベル２は、第１のサブフレームの重み２のサブスキャンを「オン」にすることにより得られる。グレイレベル４は、第１のサブフレーム及び第２のサブフレームの重み２のサブスキャンを「オン」にすることにより得られる。グレイレベル８は、第１のサブフレームの重み２及び重み４のサブスキャンと、第２のサブフレームの重み２のサブスキャンを「オン」にすることにより得られる。グレイレベル１２は、第１のサブフレーム及び第２のサブフレームの重み２及び重み４のサブスキャンを「オン」にすることにより得られ、以下同様である。
【００２１】
図４の実施例では、コードは、サブスキャンの重みに関して左右対称であり、様々な連続するグレイレベルは、ビデオフレームの間にサブスキャンが「オン」にされると考えると、ピラミッドを形成する。各セルは、第１のサブフレームの間はオンであり、第２のサブフレームの間はオフである。２つの「オン」サブスキャンの間に、「オフ」サブスキャンはない。したがって、輪郭問題はない。
【００２２】
しかし、この第１の実施例で表示可能である異なるグレイレベルの数は、依然として制限されており、これは、従来技術のインクリメンタル符号化の数と同じである。
【００２３】
したがって、より広い表示可能なグレイレベルを与える第２の実施例が提案される。この実施例では、第２のサブフレームは、第１のサブフレームが、Ｎ個の「オン」サブスキャンを含むとき、Ｎ−１、Ｎ、又はＮ＋１個の「オン」サブスキャンを含む。ただし、Ｎは、１以上の自然整数である。
【００２４】
この実施例は、図５乃至７に示す。この第２の実施例では、所与のグレイレベルに対し「オン」であるサブスキャンは、より高いグレイレベルに対し「オン」であるとは限らない。第２の実施例を用いて表示可能なグレイレベルは、
−第１の実施例を用いて表示可能なグレイレベルと、
−奇数のサブスキャンを含む第１の実施例のグレイレベルのサブスキャンのオンになることを、サブスキャンからシフトすることにより得られるグレイレベル
図５は、この実施例を用いて表示可能なグレイレベルを示す。追加のグレイレベルが、図４のグレイレベル２、８、１８、３４、６４、１１４、及び１８４のサブスキャンのオンになることを右にシフトすることによって作られる。この第２の実施例は、ビデオフレームが、サブスキャンの重みに関し左右対称である場合（図５の場合）には、この新しく作られたグレイレベルは既に存在するのでほとんど利点はない。その一方で、第２のサブフレームのサブスキャンの重みが、図６に示すように、変えられて、第１のサブスキャンの重みとは異なるようにされると、７つの新しいグレイレベルが得られる。図６に示す例では、第１のサブフレームは、夫々の重み４７、３６、３１、２４、１７、１１、及び２を有する７つのサブスキャンを含み、第２のサブフレームは、夫々の重み１、５、８、１２、１６、１８、２４を有する７つのサブスキャンを含む。従って、２２個のグレイレベル、即ち、レベル０、１、２、３、８、１４、１７、２７、３６、４４、５６、６８、８０、９６、１１１、１２７、１４５、１６３、１８１、２０５、２２８、及び２５２が得られ、これは、つまり、第１の実施例に関連して非ゼログレイレベルに対して５０％の増加（１４ではなく２１）である。図７は、図６のグレイレベルを、図面の上から下に向けて低いものから高いものに並べたものである。
【００２５】
この実施例では、２つの連続するグレイレベルは、ＰＤＰの所与のセルに対し状態が異なるサブスキャンを多くて２つ有し、更に、１つのユニット内に、同数の「オン」サブスキャンを有する。所与のグレイレベルに対し「オン」である全てのサブスキャンが、より高いグレイレベルに対してオンであるとは限らないという事実は、制限された輪郭影響をもたらす。その一方で、表示可能なグレイレベルの数は、実質的に増加される。
【００２６】
将来において、この表示方法は、１つのビデオフレームの間に、セルをオンにするために１つの動作、また、それらを消去するために１つの動作のみを必要とするので、ＰＤＰの表示回路を単純化することを可能にし得る。現在では、依然として、セルを、各サブフレームにおいてオン及びオフにする必要がある。
【００２７】
図８に示す第３の実施例では、第２のサブフレームは、第１のサブフレームがＮ個の「オン」サブスキャンを含むとき、Ｎ−２、Ｎ−１、Ｎ、Ｎ＋１、又はＮ＋２個の「オン」サブスキャンを含む。ただし、Ｎは、２以上の自然整数である。この実施例では、２つの連続するグレイレベルは、ＰＤＰの所与のセルに対し状態が異なるサブスキャンを多くて３つ有する。この実施例は、第１の実施例と比較したときに、１４個のサブスキャンを有する非ゼロの表示可能なグレイレベルの数を１３５％増加すること（１４ではなく３３）を可能にする。この実施例では、第１のサブフレーム及び第２のサブフレームのサブスキャンは、図６及び７に示すサブスキャンと同じである。３４個のグレイレベル、即ち、レベル０、１、２、３、６、８、１３、１４、１６、１９、２７、３１、３６、３９、４４、５６、６０、６８、７２、８０、９６、９９、１１１、１１４、１３３、１４７、１５１、１６３、１６９、１８１、２０５、２１０、２２８、及び２５２が得られる。この実施例は、可能なグレイレベルの数を更に増加することを可能にする。しかし、この実施例は、第２の実施例よりも僅かに多くの輪郭影響ももたらす。
【００２８】
上述したように、第２及び第３の実施例は、輪郭影響をもたらす。図９は、４画素で動く２２８のグレイレベルと２０５のグレイレベル間の移行部を示し、この２つのグレイレベルは、第３の実施例に従い表示される。２５２のグレイレベル（明るいバンド）が、移行時に現れる。しかし、この輪郭は、関心のグレイレベルの振幅に関連して制限される。この場合、輪郭を部分的に補正するために、サブスキャンを動きの方向にシフトするよう対策が取られ得る。
【００２９】
これを達成するために、動きベクトルＭが、表示されるべき画像の各画素に対し計算され、この動きベクトルは、先行する画像に対する関心の画像中の上述の画素の動きを表す。第２のサブフレームのサブスキャンは、計算された動きベクトルの半分、即ち、Ｍ／２の量で、動きの方向に移動させられる。図９の場合、Ｍは、４画素である。この動きベクトルは、従来の動き推定器により計算される。
【００３０】
図１０は、第２のサブフレームのサブスキャンの、動きの方向におけるＭ／２（＝２）画素分の移動を示す。動きの方向における時間積分は、常に、移行時にグレイレベル２５２が出現するようにするが、この積分誤差は、動き補償のない４画素（図９）ではなく２画素のみを考慮する。第２のサブフレームのサブスキャンの動きの方向における移動は、従って、輪郭影響を低減することを可能にする。
【００３１】
本発明の方法の実施例のうちの１つによって表示可能なグレイレベルは、ＰＤＰに供給されるビデオ信号のガンマ補正をするよう用いられ得ることが有利である。この補正は、図７において得た２２個のグレイレベルを考慮して説明する。図７に示すように、これらの２２個のグレイレベルの夫々にレベルコードが関連付けられ、第２の実施例の表示可能なグレイレベル０乃至２５２に夫々コード０乃至２１が関連付けられる。
【００３２】
ＰＤＰによって受信される信号にガンマ補正をするには、ＰＤＰの入力ビデオ信号の直線性欠陥を補正するために、ルックアップテーブルによって、図１１に示すようなレベルコードがＰＤＰの各入力グレイレベルに割り当てられ、また、入力グレイレベルは、この入力グレイレベルに割り当てられるレベルコードに関連付けられるグレイレベル値に置き換えられる。例えば、図１１において、グレイレベル値０に対応するコード０は、０と１１（含まない）の間の入力グレイレベル値に割り当てられ、グレイレベル１に対応するコード１は、１１と２３（含まない）の間の入力グレイレベル値に割り当てられ、グレイレベル値２に対応するコード２は、２３と２４（含まない）の間の入力グレイレベル値に割り当てられ、そして、グレイレベル値２５２に対応するコード２１は、２４１と２５２との間の入力グレイレベル値に割り当てられる。曲線の「階段状」の外観は、非線形である。この曲線の外観は、例えば、サブスキャンの重みを修正することによって、各レベルコードに関連付けられるグレイレベル値を修正することにより修正することが可能である。
【００３３】
本発明の方法を実行することができる構造は非常に多くある。１つの例を図１２に示す。画像は、最初に、本発明の方法に応じて画像を符号化する符号化回路１０によって処理される。画像メモリ１１は、符号化画像を受信する。メモリは、少なくとも３つの連続する画像Ｉ−１、Ｉ、及び、Ｉ＋１を格納するようなサイズにされ、画像Ｉ＋１は、画像Ｉ−１を用いて画像Ｉが処理されるときに格納される。例えば、信号プロセッサである計算回路１２は、関心の画像の様々な画素に関連付けられる動きベクトルを計算し、図１１に示すようにサブスキャンをシフトし、プラズマパネル１５の横列ドライバ１３及び縦列ドライバ１４へターンオン信号を供給する。同期回路１６が設けられて、ドライバ１３とドライバ１４を同期させる。この構造は、例示的に与えたものに過ぎない。
【００３４】
本発明の説明では、その重みが増加して減少するサブスキャンの配列について触れた。本発明は、その重みが減少して増加するサブスキャンの配列にも適用されることは言うまでもなく、その場合、第１のサブフレームの間の状態変化は、サブスキャンをオフにすることに対応し、第２のサブフレームの間の状態変化は、サブスキャンをオンにすることに対応する。
【００３５】
説明した例は、プラズマディスプレイパネルにも言及する。当業者は、本発明は、任意のタイプのデジタル表示装置に適用されることは容易に理解するであろう。「デジタル表示装置」という用語は、オン／オフモード、即ち、オン状態又はオフ状態で動作する照明のレベルを意味することを理解するものとする。
【図面の簡単な説明】
【００３６】
【図１】移行部が２つの連続画像間を動くと出現する輪郭影響を示す図である。
【図２】動きの方向にサブスキャンを移動させることにある上述の問題の既知の解決策を示す図である。
【図３】１つのビデオフレームが１２個のサブスキャンを含む場合に、インクリメンタルコードで表示可能な様々なグレイレベルを示す図である。
【図４】本発明の第１の実施例に従う符号化で表示可能である様々なグレイレベルを示す図である。
【図５】本発明の第２の実施例に従う符号化で表示可能である様々なグレイレベルを示す図である。
【図６】本発明の第２の実施例に従う符号化で表示可能である様々なグレイレベルを示す図である。
【図７】本発明の第２の実施例に従う符号化で表示可能である様々なグレイレベルを示す図である。
【図８】本発明の第３の実施例に従う符号化で表示可能である様々なグレイレベルを示す図である。
【図９】サブスキャンが動きの方向にシフトされることなく本発明の第３の実施例に従い表示される２２８のグレイレベルと１６９のグレイレベル間の移行部を示す図である。
【図１０】第２のサブフレームのサブスキャンが動きの方向にシフトされた図９の以降部を示す図である。
【図１１】ＰＤＰによって受信されたグレイレベルのガンマ補正を説明する「階段状」の曲線を示す図である。
【図１２】本発明の方法を実行する装置の一例を示す図である。
【図１】
2005502919.tif 000003
【図２】
2005502919.tif 000004
【図３】
2005502919.tif 000005
【図４】
2005502919.tif 000006
【図５】
2005502919.tif 000007
【図６】
2005502919.tif 000008
【図７】
2005502919.tif 000009
【図８】
2005502919.tif 000010
【図９】
2005502919.tif 000011
【図１０】
2005502919.tif 000012
【図１１】
2005502919.tif 000013
【図１２】
2005502919.tif 000014
【国際公開パンフレット】
2005502919.tif 000015
2005502919.tif 000016
2005502919.tif 000017
2005502919.tif 000018
2005502919.tif 000019
2005502919.tif 000020
2005502919.tif 000021
2005502919.tif 000022
2005502919.tif 000023
2005502919.tif 000024
2005502919.tif 000025
2005502919.tif 000026
2005502919.tif 000027
2005502919.tif 000028
2005502919.tif 000029
2005502919.tif 000030
2005502919.tif 000031
2005502919.tif 000032
2005502919.tif 000033
2005502919.tif 000034
2005502919.tif 000035
2005502919.tif 000036
2005502919.tif 000037
2005502919.tif 000038
2005502919.tif 000039
2005502919.tif 000040
2005502919.tif 000041
2005502919.tif 000042
2005502919.tif 000043
2005502919.tif 000044
【手続補正書】
【提出日】平成15年7月10日(2003.7.10)
【手続補正１】
【補正対象書類名】特許請求の範囲
【補正対象項目名】全文
【補正方法】変更
【補正の内容】
【特許請求の範囲】
【請求項１】
表示フレームの間に、複数の基本セルを含む表示装置上でビデオ画像を表示する方法であって、
ビデオ画像の前記表示フレームは、サブスキャンと称する複数の期間から構成され、このサブスキャンの間に、各基本セルは、オン状態か又はオフ状態のいずれかであり、
各サブスキャンは、その照明期間に比例する重みを有する方法であって、
各表示フレームは、第１のサブフレームと第２のサブフレームに分割され、
前記サブフレームの間に、各セルは、状態を多くて一回変え、
前記第１のサブフレーム及び前記第２のサブフレームは、略同数のサブスキャンを含み、
前記第１のサブフレームの前記サブスキャンは、その重みの第１の昇順に配列され、
前記第２のサブフレームの前記サブスキャンは、その重みの第２の昇順に配列され、
前記第２の順序は、前記第１の順序の逆であり、また、
低いビデオレベルから次の上のビデオレベルへの少なくとも１つの移行に対し、前記低いビデオレベルに対しオン状態にあるサブスキャンは、前記次の上のビデオレベルに対してオフ状態にあることを特徴とする、方法。
【請求項２】
各セルに対し、前記第１のサブフレーム及び前記第２のサブフレームは、略同数のサブスキャンを含み、
前記サブスキャンの間、前記セルは、オン状態であることを特徴とする請求項１記載の方法。
【請求項３】
前記第１のサブフレーム及び前記第２のサブフレームは、同数のサブスキャンを含むことを特徴とする請求項２記載の方法。
【請求項４】
前記第１のサブフレームが、その間は前記セルはオン状態であるＮ個のサブスキャンを含むとき、前記第２のサブフレームは、その間は前記セルはオン状態であるＮ−１、又は、Ｎ個のサブスキャンを含み、ただし、Ｎは、１以上の自然整数であることを特徴とする請求項２又は３記載の方法。
【請求項５】
前記第１のサブフレームが、その間は前記セルはオン状態であるＮ個のサブスキャンを含むとき、前記第２のサブフレームは、その間は前記セルはオン状態であるＮ、又は、Ｎ＋１個のサブスキャンを含み、ただし、Ｎは、０以上の自然整数であることを特徴とする請求項２又は３記載の方法。
【請求項６】
前記第１のサブフレームが、その間は前記セルはオン状態であるＮ個のサブスキャンを含むとき、前記第２のサブフレームは、その間は前記セルはオン状態であるＮ−１、Ｎ、又はＮ＋１個のサブスキャンを含み、ただし、Ｎは、１以上の自然整数であることを特徴とする請求項２又は３記載の方法。
【請求項７】
前記第１のサブフレームが、その間は前記セルはオン状態であるＮ個のサブスキャンを含むとき、前記第２のサブフレームは、その間は前記セルはオン状態であるＮ−２、Ｎ−１、Ｎ、Ｎ＋１、又は、Ｎ＋２個のサブスキャンを含み、ただし、Ｎは、２以上の自然整数であることを特徴とする請求項２又は３記載の方法。
【請求項８】
前記ビデオ画像の各画素に対する動きベクトルを生成するよう先行するビデオ画像に対する現在のビデオ画像の動きが推定され、且つ、前記現在のビデオ画像の各画素に対し、前記第２のサブフレームの前記サブスキャンが、前記生成された動きベクトルの半分の量で移動されることを特徴とする請求項１乃至７のうちいずれか一項記載の方法。
【請求項９】
請求項１乃至８のうちいずれか一項記載の表示方法を実行する装置を含むことを特徴とするプラズマディスプレイパネル。
【手続補正２】
【補正対象書類名】明細書
【補正対象項目名】０００７
【補正方法】変更
【補正の内容】
【０００７】
もう１つの解決策は、グレイレベルの「インクリメンタル」符号化と呼ばれる符号化を用いることにある。この符号化を用いると、ＰＤＰのセルは、ビデオフレームの間に多くて一回状態を変える。たとえば、ビデオフレームの開始時に、セルがオフ状態にあり、次に、オン状態に移ると、セルは、フレームの終わりまでこの状態のままとなる。この符号化の主な欠点は、この符号化では、１つのセルによって表示可能であるグレイレベルの数が非常に制限されることである。図３は、夫々の重み１、２、４、８、１６、３２、３２、３２、３２、３２、３２、及び３２を有する１２のサブスキャンからなるビデオフレームの場合に、インクリメンタル符号化で表示可能なグレイレベルを示す。この例では、１３の異なるグレイレベル、すなわち、レベル０、１、３、７、１５、３１、６３、９５、１２７、１５９、１９１、２２３、及び２５５を表示することが可能である。図３では、サブスキャンは、幾つかの低い値のグレイレベル（すなわち、レベル０、１、３、７、１５、３１）を得るために、夫々の重みの降順に配列される。所与のグレイレベルに対する「オン」サブスキャン（セルがオン状態にあるときのサブスキャン）は、それよりも高いグレイレベルに対しても「オン」であり、同じビデオフレームにおいて２つの「オン」サブスキャンの間には「オフ」サブスキャン（セルがオフ状態にあるときのサブスキャン）はないという事実によって、輪郭影響、すなわち、同様のグレイレベルを有する２つの隣接する領域間の変化時に明るい又は暗いバンドの出現を回避することが可能となる。当業者には周知であるディザリング技術を用いることにより、インクリメンタルコードの少ない数のグレイレベルが部分的に補われる。ディザリング技術の原則は、所望のグレイレベルを、時間積分（これらのグレイレベルは、幾つかの連続する画像上に表示される）及び／又は空間積分（これらのグレイレベルは、関心の画素を含む画像の領域内の表示される）によって、表示可能なグレイレベルの組み合わせに分解し、それにより、その所望のグレイベルに似たグレイレベルを画面上に再現する。しかし、ビデオ画像を表示するためには、インクリメンタル符号化で表示可能なグレイレベルの数が大きいことが好適である。


【手続補正３】
【補正対象書類名】明細書
【補正対象項目名】０００８
【補正方法】変更
【補正の内容】
【０００８】
本発明は、輪郭影響を補正するためのもう１つのグレイレベルの符号化を提供する。本発明は、表示フレームの間に、複数の基本セルを含む表示装置上でビデオ画像を表示する方法であり、ビデオ画像の表示フレームは、サブスキャンと称する複数の期間から構成され、このサブスキャンの間に、各基本セルは、オン状態か又はオフ状態のいずれかであり、各サブスキャンは、その照明期間に比例する重みを有する。各表示フレームは、第１のサブフレームと第２のサブフレームに分割され、このサブフレームの間に、各セルは、状態を多くて一回変え、第１のサブフレームと第２のサブフレームは、略同数のサブスキャンを含み、第１のサブフレームのサブスキャンは、サブスキャンの重みが増加する第１の順序で配列され、第２のサブフレームのサブスキャンは、サブスキャンの重みが減少する第２の順序で配列され、第２の順序は、第１の順序の逆である。


【手続補正４】
【補正対象書類名】明細書
【補正対象項目名】００１８
【補正方法】変更
【補正の内容】
【００１８】
本発明では、１つのビデオ画像の表示フレームは、２つのサブフレームに分割され、この２つのサブフレームは共に、略同数のサブスキャンを含む。第１のサブフレームのサブスキャンは、サブスキャンの重みの昇順に配列され、第２のサブフレームのサブスキャンは、反対の順序に配列される。第２のサブフレームは、第１のサブフレームに続く。ＰＤＰの各セルは、第１のサブフレームの間に多くて一回状態を変え、この状態の変化は、セルがオンとなることに対応する。ＰＤＰの各セルは、第２のサブフレームの間に多くて一回状態を変え、この状態の変化は、セルがオフになることに対応する。第１のサブフレーム及び第２のサブフレームは、各セルに対し、略同数のサブスキャンを含み、その間、関心のセルは、オン状態にある。




【国際調査報告】
2005502919.tif 000045
2005502919.tif 000046
2005502919.tif 000047